(57)【要約】【課題】剛性が高く、歩行感が良好であり、製造コストも安価であるだけでなく、電磁波を遮蔽する性能を有する床用パネルとその製造方法を提供すること。【解決手段】コンクリートもしくはモルタルでなるパネル本体２２と、前記パネル本体の一面に固定したアンカー２４付き補強板２３と、前記パネル本体の他面および側面を覆うようにして、該パネル本体に固定された導電金属製キャップ２８とを備える。【選択図】図６
2008008088.tif 000002
【特許請求の範囲】
【請求項１】
コンクリートもしくはモルタルでなるパネル本体と、
該パネル本体の一面に固定したアンカー付き補強板と、
前記パネル本体の他面および側面を覆うようにして、該パネル本体に固定された導電金属製キャップと
を備えることを特徴とする床用パネル。
【請求項２】
前記パネル本体が正方形もしくは矩形でなることを特徴とする請求項１に記載の床用パネル。
【請求項３】
前記パネル本体外縁よりも前記補強板外縁の方が小さく形成されていることを特徴とする請求項１または２のいずれかに記載の床用パネル。
【請求項４】
支持アームへ固定するためのネジを挿通するために、前記導電金属製キャップ、前記パネル本体、前記補強板を貫通するようにして、貫通孔が形成されており、該貫通孔の前記補強板における開口が、前記ネジを挿通した場合に、該ネジを拘束しない程度の大きな径とされていることを特徴とする請求項１ないし３のいずれかに記載の床用パネル。
【請求項５】
前記導電金属製キャップの前記貫通孔開口が、内方に向かって傾斜する傾斜周縁部を備えることを特徴とする請求項１ないし４のいずれかに記載の床用パネル。
【請求項６】
前記パネル本体がＧＲＣで形成されていることを特徴とする請求項１ないし５のいずれかに記載の床用パネル。
【請求項７】
突出した複数のアンカーが形成された補強板を型内に配置する工程と、
該補強板の上にコンクリートまたはモルタルを配置する工程と、
型を閉じながら脱水する工程と、
離型後所定時間養生する工程と、
最後に表面から導電金属製キャップを被せて固定する工程と
を含んでいることを特徴とする床用パネルの製造方法。
【請求項８】
前記導電金属製キャップ、前記パネル本体、前記補強板を貫通するようにして、貫通孔が形成され、かつ、該貫通孔の前記補強板における開口が前記ネジを挿通した場合に、該ネジを拘束しない程度の大きな径に形成されることを特徴とする請求項７に記載の床用パネルの製造方法。
【発明の詳細な説明】
【技術分野】
【０００１】
本発明は、オフィスビルなどの二重床を形成するための床用パネルの改良と、その製造方法に関するものである。
【背景技術】
【０００２】
従来より、二重床を形成するための床用パネルが広く使用されている。
すなわち、フリーアクセスフロアを実現するための床材として、所定の大きさの正方形のパネルを、スラブなどの上に配置した支持アームにより所定高さで縦横に接続支持する二重床構造が広く普及している。この二重床を構成する床用パネルより下には、給電や信号用の配線を縦横に巡らせることができるようになっている。
【０００３】
このような床用パネルは、特に、鉄板やアルミダイキャストなどで形成されるものの他、モルタルやコンクリートで形成したものが普及している（特許文献１、２参照）。
このような床用パネルのうち、コンクリートを用いたものは、剛性が高く、歩行感が良好であり、製造コストも安価であるという利点がある。
【０００４】
【特許文献１】実開平１−７５５２７号
【特許文献２】実開平１−７５５２８号
【発明の開示】
【発明が解決しようとする課題】
【０００５】
ところで、二重床を形成するための床用パネルにコンクリートパネルを用いると、床下の種々の配線や電子・電気装置により生成される電磁波が通ってしまう。このため、床の表側にノイズが出るなど、種々の悪影響を与える欠点がある。これはコンクリートパネルのコンクリートそのものが電磁波が透過するからである。
ところで、上記特許文献１等の従来の床用パネルでは、コンクリートパネルの底部に金属製の補強板を固定している。そこで、コンクリートパネルにこのような補強板を固定する場合、導電性の金属により補強板を形成することで、補強板に覆われた領域は電磁波シールドすることができると考えられる。
【０００６】
しかし、コンクリートパネルに補強板を固定する場合に、曲げ応力が作用することを考慮すると、特許文献１，２に記載されているように、金属製の補強板の一部を切り起こして、コンクリートパネル内に入り込む多数の突片を形成し、強固に固定されるようにする必要がある。このことから、該突片が形成された箇所は孔となるため、結局、従来の構造では、金属製の補強板には電磁波が抜ける多数の孔が存在し、シールドすることができない。
【０００７】
本発明は、上記課題を達成するためになされたもので、剛性が高く、歩行感が良好であり、製造コストも安価であるだけでなく、電磁波を遮蔽する性能を有する床用パネルとその製造方法を提供することを目的とする。
【課題を解決するための手段】
【０００８】
上記目的は、請求項１の発明にあっては、コンクリートもしくはモルタルでなるパネル本体と、該パネル本体の一面に固定したアンカー付き補強板と、前記パネル本体の他面および側面を覆うようにして、該パネル本体に固定された導電金属製キャップとを備える床用パネルにより、達成される。
【０００９】
第１の発明の構成によれば、本発明の床用パネルのパネル本体は、コンクリートもしくはモルタルで形成されているので、安価に製造できる。しかもパネル本体には補強板が、アンカーを利用して固定されているので、曲げ応力が作用しても破壊されにくい。さらに、パネル本体には、導電金属製のキャップが固定されているので、特に床用パネルの一面から他面へ、つまり、これを二重床に配設した場合に、パネル下の空間から、パネルの表面側へ（もしくはその逆に）電磁波が通過することを適切に防止することができ、電磁波遮蔽の二重床を実現することができる。
【００１０】
第２の発明は、第１の発明の構成において、前記パネル本体が正方形もしくは矩形でなることを特徴とする。
第２の発明の構成によれば、パネル本体を正方形や矩形とすると、床用パネルもそのような形態とすることができ、該パネルを縦横に多数配置する上で、配置設計が容易となる。
【００１１】
第３の発明は、第１または２のいずれかの発明の構成において、前記パネル本体外縁よりも前記補強板外縁の方が小さく形成されていることを特徴とする。
第３の発明の構成によれば、床用パネルを製造する工程において、補強板とパネル本体が多少位置ずれしても、補強板がパネル本体の外縁からはみ出すことがない。
【００１２】
第４の発明は、第１ないし３のいずれかの発明の構成において、支持アームへ固定するためのネジを挿通するために、前記導電金属製キャップ、前記パネル本体、前記補強板を貫通するようにして、貫通孔が形成されており、該貫通孔の前記補強板における開口が、前記ネジを挿通した場合に、該ネジを拘束しない程度の大きな径とされていることを特徴とする。
第４の発明の構成によれば、床用パネルを載置固定すべき支持脚の支持プレートのネジが挿通されるべき孔が、上方に凸となるようにテーパ状に形成されていると、この凸状テーパ部分が前記大径の開口に入り込んで、位置合わせされる。このため、床用パネルと支持プレートとの孔の位置合わせが容易となり、固定作業がし易くなる。
【００１３】
第５の発明は、第１ないし４のいずれかの発明の構成において、前記導電金属製キャップの前記貫通孔開口が、内方に向かって傾斜する傾斜周縁部を備えることを特徴とする。
第５の発明の構成によれば、前記貫通孔開口が、内方に向かって傾斜する傾斜周縁部を備えていると、皿ネジを用いて固定する場合に、ネジのヘッド部を前記傾斜周縁部に当接させることができる。このため、床用パネルからネジのヘッド部が突出することなく、形成した床表面が平坦なものとなる。
【００１４】
第６の発明は、第１ないし５のいずれかの発明の構成によれば、前記パネル本体がＧＲＣで形成されていることを特徴とする。
第６の発明の構成によれば、低コストで剛性が高く、歩行感が良好な床用パネルを得ることができる。
【００１５】
また、上記目的は、第７の発明にあっては、突出した複数のアンカーが形成された補強板を型内に配置する工程と、該補強板の上にコンクリートまたはモルタルを配置する工程と、型を閉じながら脱水する工程と、離型後所定時間養生する工程と、最後に表面から導電金属製キャップを被せて固定する工程とを含んでいる床用パネルの製造方法により、達成される。
第７の発明の構成によれば、従来の床用パネルの製造工程に導電金属製キャップを被せて固定する工程を追加するだけで、電磁波シールド性能を持つ床構造を形成するための床用パネルを製造することができる。
【００１６】
第８の発明は、第７の発明の構成によれば、前記導電金属製キャップ、前記パネル本体、前記補強板を貫通するようにして、貫通孔が形成され、かつ、該貫通孔の前記補強板における開口が前記ネジを挿通した場合に、該ネジを拘束しない程度の大きな径に形成されることを特徴とする。
第８の発明の構成によれば、床用パネルを載置固定すべき支持脚の支持プレートのネジが挿通されるべき孔が、上方に凸となるようにテーパ状に形成されていると、この凸状テーパ部分が前記大きな径の開口に入り込んで、位置合わせされる。このため、床用パネルと支持プレートとの貫通孔の位置合わせが容易となり、固定作業がし易くなるようにした床用パネルを製造することができる。
【発明を実施するための最良の形態】
【００１７】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】
図１および図２は、本発明の実施形態に係る床用パネルで形成する二重床構造１０を示す説明図である。
図１の概略斜視図において、床スラブなどの上には支持脚１１が配置されている。支持脚１１は、例えば、上記床スラブなどの上方で床用パネルを支持するための支持プレート１２を有している。
支持プレート１２の上には、図示の場合正方形の床用パネル２０，２０，２０が載置される。各床用パネル２０にはネジを挿通するための貫通孔３１が形成されており、後述するようにして、支持プレート１２の貫通孔１３を利用してビス止め固定されるようになっている。
なお、図示の場合は、支持脚１１が、４枚の床用パネルの角部を突き合わせた交点位置に配置され、該支持脚１１が４枚の床用パネルの角隅部を支持プレート１２上に載せて固定する場合の構成例を示しており、床用パネルの下には、空間ＵＳが形成される。この空間ＵＳにはオフィスで必要とされる電気配線用コードなどを引き回すことができる。
【００１９】
図１の構造を例えば床スラブなどの上全面に形成し、図２に示すようにその上に、例えば、タイルカーペット５０などを敷きつめる。その上に例えばオフィス家具Ｋなどを配置することができる。
このようにして、オフィスの床下に図１の空間ＵＳを見えないように形成し、必要な電気配線や付属装置などが収容され、これらの配線の変更にともなうコードの引き回しを自由にできるようにされている。
【００２０】
次に図３ないし図６を参照しながら、本発明の実施形態に係る床用パネル２０の構成について説明する。図３は床用パネルの概略平面図、図４は床用パネルの一部を拡大して示す概略斜視図、図５は図３のＡ−Ａ線概略切断端面図、図６は図５の一部拡大図である。
図３に示すように、床用パネル２０は、全体として正方形もしくは矩形に形成することができ、これらの形状に限らず他の幾何学的形状とすることができるが、多数の床用パネルを敷き詰めて固定し、二重床をデザインする上で、正方形であるといくつ配置しても、縦横のサイズが常に同じになり、作業が楽である利点がある。
【００２１】
床用パネル２０の例えば２辺の中央部には、凹部２１，２１が形成されている。凹部２１は図４に示されているように辺縁部を切り欠いた構成であり、図１で説明した床下空間ＵＳからコードを引き出したり、コンセントをこの部分に形成したりするために利用されるようになっている。図３の場合は凹部２１が二つ形成されているがどちらか１つでもよいし、パネルによっては形成しなくてもよい。
【００２２】
図５は、床用パネル２０の詳しい断面構成が示されており、この図５と図６を参照する。
これらの図において、床用パネル２０は、コンクリートもしくはモルタルでなるパネル本体２２と、該パネル本体２２の一面（図において下面）に固定したアンカー付き補強板２３と、パネル本体２２の他面（上面）および側面を覆うようにして、該パネル本体２２に固定された導電金属製キャップ（以下、「キャップ」という）２４とを備えている。
【００２３】
パネル本体２２は、図３で示した床用パネル２０と同形であり、同じ外形を備えた所定の厚みをもつ板体である。
パネル本体２２は、モルタルやコンクリートで形成すると、金属で形成する場合に比べて、製造コストが抑制できる利点がある。
本実施形態では、パネル本体２２は、特に、ＧＲＣ（Ｇｌａｓｓｆｉｂｅｒ  Ｒｅｉｎｆｏｏｒｃｅｄ  Ｃｏｎｃｒｅｔｅ）（ガラス繊維補強コンクリート）で形成されており、剛性が高い構造とされている。
【００２４】
パネル本体２２の下面には、後述する工程を経ることにより、補強板２３が固定されている。補強板２３は、コンクリート製パネル本体に対して、曲げ応力が作用した際に破壊されないようにするために補強をするためのもので、例えば、亜鉛鋼板などの金属材料でなる金属板が使用されている。
補強板２３は、パネル本体２２との固着を強固にするために、該補強板２３を一部接続箇所を残して打ち抜き形成した舌片状の部分を起こして変形させ、図において上方に突出する突起状として、先端をさらに曲折して、爪状としたアンカー２４を有している。
補強板２３はパネル本体２２の外形よりも僅かに小さな外形とすることで、隙間２５が形成されている。
【００２５】
さらに、パネル本体２２には、後述する電磁波シールドを実現するために、キャップ２８が固定されている。キャップ２８は導電性の金属、例えば、亜鉛鋼板をプレス成形して形成したものであって、パネル本体２２の上面全体を覆う平面部２８ａと、パネル本体２２の側面（４側面全て）を覆う側面部２８ｂを有している。
つまり、キャップ２８は、パネル本体２２の補強板２３により覆われている面以外の外面を全て覆うようにされた電磁シールド板である。
【００２６】
さらに、図６に詳しく示すように、キャップ２８、パネル本体２２、補強板２３を貫通するようにして、貫通孔３１が形成されている。そして、この貫通孔３１は、少なくとも、パネル本体２２に形成された（孔）部分３４は、固定用のネジ３５の外形よりも大きく、同様に貫通孔の補強板２３における開口３２は、挿通されるネジ３５に対してやや大きめの径、すなわち該ネジが拘束されない程度の大きさの径とされている。
また、キャップ２８の貫通孔開口が、図示されているように、内方に向かってすり鉢状に、もしくはテーパ状に傾斜する傾斜周縁部３３とされている。
【００２７】
本実施形態の床用パネル２０は以上のように構成されており、パネル本体２２には、導電金属製のキャップ２８が固定されている。
このため、図６に示すように、床下の空間ＵＳで発生した電磁波Ｅが、例え、補強板のアンカー２４を切り起こして形成した孔を通過して、パネル本体２２を透過しても、これら電磁波Ｅは必ずキャップ２８に当たる。ここで、キャップ２８は導電金属で形成されているので、電磁波Ｅはキャップ２８にシールドされて外側に通過することがない。
かくして、この床用パネル２０を用いて図１および図２で説明したような二重床を形成すると、床用パネル２０の一面から他面へ、つまり、パネルの表面側へ、あるいは室内の電子機器などで発生した電磁波が室内から床下へ、通過することを適切に防止することができ、電磁波遮蔽の二重床を実現することができる。
【００２８】
さらに、図１で説明したように、床スラブなどの上には図１の支持脚１１が配置され、その支持アーム１２に本実施形態の床用パネル２０が固定される。また、図６で説明したように、固定用ネジ３５を挿通するために、キャップ２８、パネル本体２２、補強板２３を貫通するようにして、貫通孔３１が形成されており、該貫通孔３１の補強板２３における開口３２が、通常の孔径よりも大きな径とされている。すなわち、該開口３２は、貫通孔３１に挿通されるネジ３５の雄ネジ部と接触するか、噛み合って、該ネジ３５を拘束することがない程度に大きな径とされている。
【００２９】
ここで、この床用パネル２０を載置固定すべき支持脚の支持プレート１２の貫通孔１３の周辺領域１５が、図示されているように、上方に凸となるようにテーパ状に形成されていると、この凸状テーパ部分１５が大径の開口３２に入り込んで、位置合わせされる。このため、床用パネル２０と支持プレート１２との貫通孔の位置合わせが容易となり、固定作業がし易くなる。
すなわち、図１で示したようにして、支持プレート１２上に複数の床用パネル２０を載せると、支持用プレート１２の貫通孔１３は見えなくなる。このため、上述のようにして、位置合わせが可能とされると、床用パネル２０の固定作業がきわめて容易となる。
【００３０】
また、図６で説明したように、キャップ２８の貫通孔開口が、内方に向かって傾斜する傾斜周縁部３３を備えていると、図示のような（皿）ネジ３５を用いて固定する場合に、ネジのヘッド部３５ａのテーパ状の側面３５ｂを傾斜周縁部３３に当接させることができる。この状態で、支持プレート１２の貫通孔１３を挿通させて、ナット１６などで螺着すると、床用パネル２０の上面からネジ３５のヘッド部３５ａが突出することなく、形成した床表面が平坦なものとなる。このため、床用パネル２０の上にタイルカーペット５０などをさらに敷く場合には仕上がりよく床形成することができる。
【００３１】
（製造方法）
次に、図７ないし図９を参照して、床用パネル２０の製造方法の一例を簡単に説明する。
（インサート工程）
図７に示すように、平らな上面をもつ内型３２上に、上述した補強板２３を載せる。この場合、補強板２３には、予め先端が爪状に突出したアンカー２４が形成され、上方に突出した状態で配置される。
【００３２】
（コンクリート、モルタルの配置工程）
補強板２３の上には、コンクリートやモルタルを配置する。
この実施形態の場合、ＧＲＣで形成することとし、セメント、砂、混和剤、水に加えて、ガラス繊維チョップドストランドをミキサー等で混練したコンクリート３１を流し込んで配置する。
（プレス工程）
次いで、図７に示されているように、上述したパネル本体２２の形状に対応した内面形状を有する上型３３を矢印方向に下降させる。これにより、型内でコンクリート３１はプレスされ脱水される。
【００３３】
（養生工程）
離型後、所定時間放置することにより、コンクリートが養生され、図８に示すように、パネル本体２２に補強板２３が固定されたものが形成される。
（キャップ固定工程）
次に、図５および図６などで説明したキャップ２８を、図９に示すように、パネル本体２２の上から被せるようにして固定する。すなわち、導電金属で形成されたキャップ２８は接着固定することによりパネル本体２２と強固に固定されることになる。
以上により、床用パネル２０が完成される。
【００３４】
本実施形態の製造方法によれば、従来の床用パネルの製造工程に導電金属製キャップを被せて固定する工程を追加するだけで、図６で説明した電磁波シールド性能を持つ床構造を形成するための床用パネル２０を製造することができる。
特に、図７の工程で、成形すべきパネル本体の外縁よりも補強板２３の外縁の方が小さく形成しておけば、型を閉じた際に補強板２３とパネル本体を形成すべきコンクリート３１が多少位置ずれしても、図８の状態で、補強板２３がパネル本体２２の外縁からはみ出すことがない。
【００３５】
本発明は上述の各実施形態に限定されない。床用パネルの外形は、矩形や正方形だけでなく、他の多角形や曲線的外形を備えるものでもよい。
上述の各実施形態における各構成は、必要により、その一部を省略したり、他の構成と入れ換えて、異なる構成の組み合わせのもとで実施されてもよい。
【図面の簡単な説明】
【００３６】
【図１】本発明の実施形態にかかる床用パネルを用いて形成する二重床構造を説明するための図。
【図２】図１の床構造の外観の一例を示す概略図。
【図３】本発明の実施形態にかかる床用パネルの概略平面図。
【図４】図３の床用パネルの一部を拡大して示す部分拡大斜視図。
【図５】図３のＡ−Ａ線切断端面図。
【図６】図５の一部を拡大して示す図。
【図７】図３の床用パネルの製造工程の一例を示す図。
【図８】図３の床用パネルの製造工程の一例を示す図。
【図９】図３の床用パネルの製造工程の一例を示す図。
【符号の説明】
【００３７】
１１・・・支持脚、１２・・・支持プレート、１３・・・貫通孔、２０・・・床用パネル、２１・・・凹部、２２・・・パネル本体、２３・・・補強板、２４・・・アンカー、２８・・・（導電金属製）キャップ、３１・・・貫通孔、３２・・・開口
【図１】
2008008088.tif 000003
【図２】
2008008088.tif 000004
【図３】
2008008088.tif 000005
【図４】
2008008088.tif 000006
【図５】
2008008088.tif 000007
【図６】
2008008088.tif 000008
【図７】
2008008088.tif 000009
【図８】
2008008088.tif 000010
【図９】
2008008088.tif 000011